(57)【要約】      （修正有）【課題】点滴薬残量報知装置の製造組み立て工程におけるスプリング力の調整を、正確、安全、迅速に完了する為の装置の改善。【解決手段】基板の下部軸受のメスねじ部２８に、オスねじブッシュ６を螺合し、オスねじブッシュ６の回転操作で、スプリング８の力を強または弱となる、以上の解決手段の改良により、スプリング力の調整を正確、安全、迅速に完了でる装置とした。スプリング８力は主軸４を介してマイクロスイッチの接点に働き、点滴容器内の残量薬液の重量が、スプリング８力と合致すれば報知する。【選択図】図１１
2007044462.tif 000002
【特許請求の範囲】
【請求項１】
点滴薬残量報知装置の構造として、基板上の下部軸受にメスねじを加工し、ブッシュ状部品の外径にオスねじを加工し螺合した。従って、ブッシュ状部品のオスねじを回せばスプリングは関連して伸または縮となり、スプリング力が設定重錘値に等しくなった時、オスねじとネスねじの螺合を固定することで、スプリング力の調整は終わる。
【発明の詳細な説明】
【技術分野】
【０００１】  本発明はスプリング式薬液残量報知器のスプリング力の調整に関するものである。
【背景技術】
【０００２】  医療に於ける点滴治療の現実は、治療の進行により、点滴容器内の薬液残量が１５ｍｇほどに減少した折、患者は看護師に薬液終了が時間的に近いことを報知している。【０００３】  高齢の患者の増加により、患者の中には睡眠または痴呆により、報告を怠り看護師をより多忙にしている。【０００４】  薬液残量の報告を患者に代わって、報知する残量報知器の構造は多種に及ぶが、その一つにスプリング式がある。スプリングにも多種あるが、本件で使用するのは、弦巻形スプリングの押しバネである。【０００５】  点滴で多く使用されているのは５００ｍｇである。本装置で使用する点滴薬は５００ｍｇを対象とする。薬液残量が１５ｍｇになった時、電気的信号で報知させる方法として、スプリング力を設定することである。スプリングの力として必要な圧力とは、薬液の入って無い空の容器の重さと、薬液を導入するチュウブの重さと、装置の軸と吊輪の重さと、残量薬液１５ｍｇの合計重さのことでスプリング力がこの合計重さに等しくなるように、スプリング力を設定する。設定スプリングの力が軸に伝わり、軸先端がマイクロスイッチをＯＮとすれば、電気的に信号が報知される。
【特許文献】特開平８−２３８３１３
【発明の開示】
【発明が解決しようとする課題】
【０００６】  装置の製造組み立て段階で、残量１５ｍｇをスプリングの力として調整するには、組み立て作業の段取りとして、予め、マイクロスイッチに電池と電気信号を発生する報知器を取り付け、軸下端に取り付けた下吊輪には点滴容器の代わりに、スプリングに設定する重さに等しい設定重錘を取り付ける。従来の機構では、軸は弦巻スプリングの内径を通し、軸に加工されたオスねじをナットで締めたり緩めたりすると、スプリングは伸または縮を繰り返し、スプリングの力が設定重錘と合った位置で、マイクロスイッチはＯＦＦからＯＮになり、薬液残量１５ｍｇの位置となり、電気的報知信号を発する。【０００７】  実際に従来の方法で作業すると、片手で軸を固定し、もう片方の手でナットを少しづつ回しては、スプリングの力を測る、この作業の繰り返しで手探り状態でスプリング力と設定重垂の合致点を見つける為に調整した。従って、非常に時間と手間がかかった。課題は組み立てに際して、スプリングの力を正確に早く短時間で調整する新機な方法の発明を課題とする。
【課題を解決しようとする課題】
【０００８】  点滴薬残量報知装置の構造として、従来の軸に対してのねじ加工と軸の固定を取り止めた。代わりに機構の変更として、基板上の下部軸受にメスねじを加工し、ブッシュ状部品の外径にオスねじを加工し、螺合する方法を採用した。従って、ブッシュ状部品のオスねじを回せばスプリングは関連して伸または縮となり、スプリング力が点滴容器などの設定重錘値に等しくなった時、オスねじとネスねじの螺合を固定することで、スプリング力の調整は簡単に終わる。
【発明の効果】
【０００９】  過去専門職しか出来なかったスプリング調整作業が素人でも簡単に、電気的信号に注意しつつ、片手の指でオスねじを回すことで、スプリング力の調整が非常に正確で簡単に調整が可能となり、組み立て時間が短縮し課題を解決する効果が生まれた。
【発明を実施するための最良の形態】
【００１０】  空の点滴容器の重さと、薬液を誘導するチューブの重さと、報知装置の構造の内、軸と下吊輪の重さと、薬液残量の１５ｍｇの合計重量に等しい設定重垂を、軸の下端の下吊輪に吊り下げる。次にオスねじを回すと、スプリング力は強弱と変化する。スプリング力は軸の先端を介して、マイクロスイッチの接点に関連する。オスねじブッシュのオスねじ調整で、スプリング力が設定重垂に等しくなれば、マイクロスイッチの接点がＯＦＦからＯＮに変わり、点滴薬液残量１５ｍｇの電気的報知信号が発せられる。
【実施例】
【００１１】  図１は、点滴薬液残量報知器に於けるスプリング力調整装置の構造正面図である。図２から図１０までは装置を構成する部品図である、図１１は装置の内、本発明にかかる関係主要部である。【００１２】  図２は、主軸４で、主軸先端１４にはＣ形リング止め輪切込２０が二箇所ある、主軸下部１５には吊るし孔１９を穿つ。【００１３】  図３は、スプリング８で、上下端をスプリング上端２６とスプリング下端２５と名づける。【００１４】  図４は、座金５で、端面にスプリング座２２の溝と中央に主軸孔２１を設ける。【００１５】  図５（ａ）はオスねじブッシュ６で、外径にオスねじ部２３とオスねじ下端２７には、中央に貫通する主軸孔２１を穿つ、（ｂ）はオスねじブッシュ６を反対側からみた図で、鍔位置にはスプリング下座金２４の溝と主軸孔２１がある。【００１６】  図６は、基板１で、上部軸受２には主軸孔２１が、下部軸受３にはメスねじ部２８があり、基板上部２９にはマイクロスイッチ７を設置する。【００１７】  図７はマイクロスイッチ７で、接点１７と端子３０を保有する。【００１８】  上吊具１２で、点滴用架台に上吊具１２を吊り下げ、取り付け部３１は装置に固定する。【００１９】  図９は、下吊輪９で、主軸下部１５の吊るし孔１９に吊り下げ、使用時は点滴の容器を吊り下げる。【００２０】  図１０は、電気報知器１０である。【００２１】  図１１は本発明の主要部拡大図である。【００２２】  図１にて、これより部品の組み立てと作用を述べる。図６の基板１の下部軸受３のメスねじ部２８に、図５のオスねじブッシュ６のオスねじ部２３を螺合すると図１１になる。【００２３】  図１１にて、主軸４の主軸先端１４を、オスねじブッシュ６のオスねじ下端２７の主軸孔２１より挿入し、オスねじブッシュ６より主軸先端１４が出たところでスプリング８のスプリング下端２５より主軸４を挿入する。【００２４】  更に、主軸先端１４は座金５の主軸孔２１を通り、図６の上部軸受２の主軸孔２１を通り抜ける。この時の状態は図１に示す。主軸４が通る上部軸受２の主軸孔２１とオスねじブッシュ６の主軸孔２１の内径との隙間は０．５ｍｍほどの余裕とする。【００２５】  スプリング上端２６の外径は、図４の座金５のスプリング座２２の内径溝に収まり、スプリング下端２５の外径は、図５のスプリング下座金２４の溝に収まり、主軸４の外径とスプリング８の内径と触れ合うことはない。【００２６】  Ｃ形リング止め輪切込２０は、座金５の上と、上部軸受２の上の２ケ所に位置し、Ｃ形リング止め輪１３にて止める。従って、図１に示すように、主軸４の上下移動は５ｍｍ程のの範囲となる。この間隙の距離を主軸４が上下して、マイクロスイッチ７の接点１７に作用する。【００２７】  図１にて、基板１にマイクロスイッチ７、電気報知器１０、電池１１、配線回路１８を取り付け、主軸下部１５の吊るし孔１９に下吊輪９を取り付ける。【００２８】  装置の組み立て作業では、前述の点滴薬液残量１５ｍｇにする為に、設定重垂１６を下吊輪９に吊るす。スプリング８の力が強ければ主軸先端１４はマイクロスイッチ７の接点１７を押し上げてＯＮとなり、電気報知器１０は信号を報知する。スプリング８の力が弱ければマイクロスイッチ７の接点１７には主軸先端１４は働かないのでＯＦＦとなり、従って電気報知器１０は報知しない。【００２９】  組み立て作業におけるスプリング８の力の調整を具体的に述べると、図１１にて、基板１の下部軸受とオスねじブッシュ６を右ねじとすれば、オスねじブッシュ６を時計方向に回せば、図４の座金５のスプリング座２２と図１１のオスねじブッシュ６のスプリング下座金２４との間隔は広がる、すると間に挟まれているスプリング８は伸びてスプリング８は弱まる。図１も参照。【００３０】  図１１にて、逆にオスねじブッシュ６を反時計方向に回せば、図４の座金５のスプリング座２２と、図１１のオスねじブッシュ６のスプリング下座金２４との距離は短縮する。従って、両者間のスプリング８は長さを縮め、スプリング力を強める。図１も参照。【００３１】  具体的実施例として、空の薬液容器の重さ３０グラム、薬液を誘導するチューブの重さ２０グラム、報知残量薬液の重さ１５ｍｇ、装置に関係する軸、吊り輪など１０グラムの重量の合計を７５グラムを設定重垂１６として、軸の下端主軸下部１５の吊るし孔１９に下吊輪９を取り付け吊り下げる。図１、図１１に示すように、基板１の下部軸受３のメスねじ部２８と、オスねじブッシュ６のオスねじ部２３の螺合により、オスねじブッシュ６を回してスプリング８の力を調節して設定重垂１６にあわせれば、設定重垂１６の７５グラムとスプリング力が等しくなり、点滴薬液残量が１５ｍｇに達したことを、電気的報知信号により発する。最後に螺合を固定して組み立て調整は終わる。
【産業上の利用可能性】
【００３２】  高齢者の増加と医療、特に点滴治療では患者の痴呆、難聴、睡眠は看護師泣かせの状態である。その対策として、種々の点滴補助装置が市場に出現した。その中で、当該装置はスプリングとマイクロスイッチと報知装置のみの構造で、過去８年程の現場試用では一回の故障もなく、看護師をして、点滴治療中の気遣いから開放し、看護師から感謝と絶賛を浴びています。過去の製作工程中、組み立て調整では非常に手間が掛かり、打開方法を模索していた。本特許による解決手段は調整時間の工程を非常に軽減し、廉価で安全な装置を医療機関に提供する結果を発生した。
【図面の簡単な説明】
【００３３】
【図１】装置の総合部品の組み立て完成正面図
【図２】主軸の斜視側面図
【図３】スプリングの側面図
【図４】座金の斜視図
【図５】オスねじブッシュを（ａ）（ｂ）表裏からの斜視図
【図６】基板１の斜視図
【図７】マイクロスイッチの斜視図
【図８】上吊具の正面図
【図９】容器吊金具の正面図
【図１０】電気報知器の図
【図１１】下部軸受とオスねじブッシュと主軸とスプリングの関係正面図
【符号の説明】
【００３４】    １  基板
２  上部軸受
３  下部軸受
４  主軸
５  座金
６  オスねじブッシュ
７  マイクロスイッチ
８  スプリング
９  下吊輪
１０  電気報知器
１１  電池
１２  上吊具
１３  Ｃ形リング止め輪
１４  主軸先端
１５  主軸下部
１６  設定重垂
１７  接点
１８  配線回路
１９  吊るし孔
２０  Ｃ形リング止め輪切込
２１  主軸孔
２２  スプリング座
２３  オスねじ部
２４  スプリング下座金
２５  スプリング下端
２６  スプリング上端
２７  オスねじ下端
２８  メスねじ部
２９  基板上部
３０  端子
３１  取り付け部
【図１】
2007044462.tif 000003
【図２】
2007044462.tif 000004
【図３】
2007044462.tif 000005
【図４】
2007044462.tif 000006
【図５】
2007044462.tif 000007
【図６】
2007044462.tif 000008
【図７】
2007044462.tif 000009
【図８】
2007044462.tif 000010
【図９】
2007044462.tif 000011
【図１０】
2007044462.tif 000012
【図１１】
2007044462.tif 000013